(57)【要約】【課題】清掃部材の着脱を容易に可能とする集塵装置を提供する。【解決手段】塵埃を含む空気を流通させ、空気から塵埃を分離する集塵装置は、空気から塵埃を分離するフィルタを備える。集塵装置の外表面には、フィルタを清掃可能なクリーニングブラシ５０を収納する収納部２０が形成されている。収納部２０は、外部から圧入されて収納部２０へ押し込まれたクリーニングブラシ５０を保持するように形成されている。かつ、収納部２０は、収納部２０内に収納されているクリーニングブラシ５０が外部から押圧されたとき、クリーニングブラシ５０を支持しつつクリーニングブラシ５０を収納部２０外へ突出させるように形成されている。【選択図】図１２
2010115430.tif 000002
【特許請求の範囲】
【請求項１】
塵埃を含む空気を流通させ、空気から塵埃を分離する集塵装置であって、
空気から塵埃を分離するフィルタを備え、
前記集塵装置の外表面には、前記フィルタを清掃可能な清掃部材を収納する収納部が形成されており、
前記収納部は、外部から圧入されて前記収納部へ押し込まれた前記清掃部材を保持し、かつ、前記収納部内に収納されている前記清掃部材が外部から押圧されたとき、前記清掃部材を支持しつつ前記清掃部材を前記収納部外へ突出させるように形成されている、集塵装置。
【請求項２】
前記清掃部材には、前記収納部内へ収納されたとき前記収納部の底面と対向する面が前記底面に向かって突起した、突起部が形成されており、
前記収納部内に収納されている前記清掃部材の一端部が外部から押圧されたとき、前記底面と当接した前記突起部を支点として前記清掃部材が回転することにより、前記清掃部材の他端部が前記収納部外へ突出する、請求項１に記載の集塵装置。
【請求項３】
前記収納部には、前記収納部の内壁面に対して前記収納部の内部側へ隆起した隆起部が設けられており、
前記清掃部材が前記収納部へ押し込まれたとき、前記隆起部の頂部が前記清掃部材と接触して前記清掃部材を保持し、
前記収納部内に収納されている前記清掃部材が外部から押圧されたとき、前記清掃部材は前記頂部に対して摺動する、請求項１に記載の集塵装置。
【請求項４】
前記清掃部材は、前記フィルタを掃拭して前記フィルタから除塵する刷毛部を有する、請求項１から請求項３のいずれかに記載の集塵装置。
【請求項５】
請求項１から請求項４のいずれかに記載の集塵装置を備える、電気掃除機。
【発明の詳細な説明】
【技術分野】
【０００１】
本発明は、塵埃を含む空気から塵埃を分離する集塵装置、および、その集塵装置を備える電気掃除機に関する。
【背景技術】
【０００２】
集塵部と、集塵部に配置されたプリーツ状のフィルタとを備えた電気掃除機においては、フィルタや集塵部を清掃するためにクリーニングブラシが従来使用されている（たとえば特許文献１参照）。特許文献１で提案されているクリーニングブラシにはフック部が形成されており、このフック部を利用してクリーニングブラシを電気掃除機の本体部または集塵部に取り付けられるように構成されている。
【特許文献１】特開２００６−３４０９３５号公報
【発明の開示】
【発明が解決しようとする課題】
【０００３】
特許文献１に記載のクリーニングブラシでは、フック部が相手部材と緊密に係合している場合、クリーニングブラシをつまんで取り外すときに固く取り外しが困難となるという問題があった。固着しているクリーニングブラシを無理に取り外そうとしてフックを破損してしまうと、クリーニングブラシの取り付けが不可能となるという問題があった。
【０００４】
本発明は上記の問題に鑑みてなされたものであり、その主たる目的は、フィルタを清掃する清掃部材の取り付けおよび取り外しを容易に可能とする、集塵装置を提供することである。
【課題を解決するための手段】
【０００５】
本発明に係る集塵装置は、塵埃を含む空気を流通させ、空気から塵埃を分離する集塵装置であって、空気から塵埃を分離するフィルタを備える。集塵装置の外表面には、フィルタを清掃可能な清掃部材を収納する収納部が形成されている。収納部は、外部から圧入されて収納部へ押し込まれた清掃部材を保持するように形成されている。かつ、収納部は、収納部内に収納されている清掃部材が外部から押圧されたとき、清掃部材を支持しつつ清掃部材を収納部外へ突出させるように形成されている。
【０００６】
上記集塵装置において好ましくは、清掃部材には、収納部内へ収納されたとき収納部の底面と対向する面が底面に向かって突起した、突起部が形成されている。収納部内に収納されている清掃部材の一端部が外部から押圧されたとき、底面と当接した突起部を支点として清掃部材が回転することにより、清掃部材の他端部が収納部外へ突出する。
【０００７】
上記集塵装置において好ましくは、収納部には、収納部の内壁面に対して収納部の内部側へ隆起した隆起部が設けられている。清掃部材が収納部へ押し込まれたとき、隆起部の頂部が清掃部材と接触して清掃部材を保持する。収納部内に収納されている清掃部材が外部から押圧されたとき、清掃部材は頂部に対して摺動する。
【０００８】
上記集塵装置において好ましくは、清掃部材は、フィルタを掃拭してフィルタから除塵する刷毛部を有する。
【０００９】
本発明に係る電気掃除機は、上記のいずれかの局面の集塵装置を備える。
【発明の効果】
【００１０】
本発明の集塵装置によると、収納部へ清掃部材を圧入することにより、清掃部材は収納部の内部に保持される。つまり、外部から収納部へ清掃部材を押し込む簡単な動作によって、清掃部材を容易に収納部内に収納固定することができる。一方、収納部内に収納されている清掃部材を外部から押圧することにより、収納部によって清掃部材が支持された状態を保ちながら、清掃部材を収納部外へ突出させることができる。したがって、清掃部材を押圧する簡単な動作によって清掃部材を容易に取り出すことができるので、清掃部材の使い勝手を向上させることができる。かつ、取り出し時にも清掃部材は収納部によって支持されており、収納部から落下しないので、取り出し時に清掃部材が落下して汚れが発生することを抑制することができる。
【発明を実施するための最良の形態】
【００１１】
以下、図面に基づいてこの発明の実施の形態を説明する。なお、以下の図面において、同一または相当する部分には同一の参照番号を付し、その説明は繰返さない。
【００１２】
なお、以下に説明する実施の形態において、各々の構成要素は、特に記載がある場合を除き、本発明にとって必ずしも必須のものではない。また、以下の実施の形態において、個数、量などに言及する場合、特に記載がある場合を除き、上記個数などは例示であり、本発明の範囲は必ずしもその個数、量などに限定されない。
【００１３】
図１は、電気掃除機Ｘの外観図である。図１に示すように、電気掃除機Ｘは、掃除機本体部１、吸気口部２、接続管３、接続ホース４、操作ハンドル５を備える。掃除機本体部１には、図示しない電動送風機、サイクロン集塵装置Ｙ、図示しない制御装置などが内蔵されている。上記電動送風機は、吸気を行なうための送風ファンおよび送風ファンを回転駆動する送風駆動モータを有する。上記制御装置は、ＣＰＵ（Central Processing Unit）やＲＡＭ（Random Access Memory）、ＲＯＭ（Read Only Memory）などの制御機器を有し、ＲＯＭに記憶された制御プログラムに従ってＣＰＵが各種の処理を実行することにより、電気掃除機Ｘを統括的に制御する。
【００１４】
掃除機本体部１は、掃除機本体部１の前端に接続された接続ホース４と、接続ホース４に接続された接続管３とを介在させて、吸気口部２に接続されている。電気掃除機Ｘでは、上記電動送風機が作動することにより、吸気口部２から空気が吸い込まれる。吸気口部２から吸気された空気は、接続管３および接続ホース４を経由してサイクロン集塵装置Ｙに流入する。サイクロン集塵装置Ｙでは、空気から塵埃が分離される。サイクロン集塵装置Ｙで塵埃が分離された後の空気は、掃除機本体部１の後端に設けられた図示しない排気口から排出される。
【００１５】
操作ハンドル５には、ユーザが電気掃除機Ｘの稼動操作や運転モードの選択操作などを行なうための、図示しない操作スイッチが設けられている。操作スイッチの近傍には、電気掃除機Ｘの現在の状態を表示するＬＥＤ（Light Emitting Diode）などの図示しない表示部も設けられている。
【００１６】
図２は、サイクロン集塵装置Ｙの断面図である。図３は、サイクロン集塵装置Ｙの斜視図である。サイクロン集塵装置Ｙは、図２に示すように、筐体１０、集塵容器１１、内筒１２、上部フィルタユニット１３、塵埃受部１４、蓋部１５などを備え、図３に示すように概略円筒形状に形成されている。サイクロン集塵装置Ｙは、掃除機本体部１に対して着脱可能とされている。筐体１０、集塵容器１１、内筒１２、上部フィルタユニット１３、塵埃受部１４および蓋部１５は、略円筒状の集塵容器１１の垂直方向に延びる中心軸である垂直中心軸Ｐを中心に、同軸上に配置されている。
【００１７】
筐体１０は、円筒状に形成されており、集塵容器１１の上方の開口部を覆うように集塵容器１１に着脱可能に取り付けられている。筐体１０内には、上部フィルタユニット１３が設けられている。筐体１０の下部に配置された集塵容器１１は、内周面１１ｃが略円筒状で、且つ外形も略円筒状の容器である。集塵容器１１の略最上部の円周部には、接続ホース４（図１参照）と連通する流入部１１１が設けられている。また、集塵容器１１の底部には、底蓋３１０が開閉自在に取り付けられている。ユーザは、掃除機本体部１からサイクロン集塵装置Ｙを取り出した後、底蓋３１０を開いて、集塵容器１１内の塵埃を外部に放出する。
【００１８】
集塵容器１１の内部には、内筒１２が配置されている。内筒１２は、円筒状に形成されており、矩形状に開口する連通口１２１が設けられており、この連通口１２１を覆うように内筒フィルタ１２２が取り付けられている。内筒フィルタ１２２は、内筒フィルタ１２２を通過して流れる空気を濾過して、空気に含まれる塵埃を除去する。たとえば、内筒フィルタ１２２は、金属製のメッシュを一層または複数層重ね合わせて形成されたエアフィルタである。内筒フィルタ１２２はまた、一定の間隔を隔てて一定のパターンで多数の貫通孔が側面に形成された中空の円筒体であってもよく、円筒形状の骨組み材に不織布が貼付されて形成されていてもよい。
【００１９】
集塵容器１１の上方には、上部フィルタユニット１３が設けられている。上部フィルタユニット１３は、内筒１２から排気された空気をさらに濾過するエアフィルタであって、ＨＥＰＡ（High Efficiency Particulate Air Filter）フィルタ１３１、フィルタ除塵部材１３２および傾斜除塵部材１３４などを有する。ＨＥＰＡフィルタ１３１は、垂直中心軸Ｐの周りに環状に配置固定された複数枚のフィルタの集合で構成されている。複数枚のフィルタ各々は、略水平方向に凹凸を繰り返すプリーツ状に配置され、ＨＥＰＡフィルタ１３１のフィルタ面積を十分に確保している。
【００２０】
フィルタ除塵部材１３２は、ＨＥＰＡフィルタ１３１に対して回転可能に設けられており、ＨＥＰＡフィルタ１３１に衝突して振動を与える。フィルタ除塵部材１３２から与えられる振動によって、ＨＥＰＡフィルタ１３１に付着した塵埃が叩き落とされる。フィルタ除塵部材１３２は、連結部１３３の一端部と連結している。連結部１３３は、回転駆動力を伝達するために設けられており、他端部で傾斜除塵部材１３４と連結している。傾斜除塵部材１３４は、後述するテーパ面１４ｂの表面と対向するワイパーを有する。
【００２１】
塵埃受部１４は、ＨＥＰＡフィルタ１３１から落下する塵埃を受ける。塵埃受部１４の中央部には、下側の内筒１２に向かって開口する開口１４ａが形成されている。また塵埃受部１４は、開口１４ａに向かうにつれて下方となるように傾斜するテーパ状の斜面であるテーパ面１４ｂを有する。
【００２２】
筐体１０の上方には、上部フィルタユニット１３の上方を覆うように筐体１０に着脱自在に蓋部１５が設けられている。蓋部１５は、上部に取っ手３１４が設けられており、上部筐体３１２に垂直中心軸Ｐの回りに回転可能に取り付けられている。また、蓋部１５には、後部（図２右側）に流出口１１３が設けられている。
【００２３】
ユーザが電気掃除機Ｘの操作スイッチを操作して、電動送風機が駆動すると吸気口部２からの空気の吸い込みが開始される。吸気口部２から吸い込まれた空気は、流入部１１１の空気流入口１１１ａから、集塵容器１１の分離部１０４に吸い込まれる。空気流入口１１１ａは、集塵容器１１の接線方向に向くように形成されており、分離部１０４へ吸い込まれた空気は、集塵容器１１の内周面１１ｃに沿って、集塵容器１１内を高速で旋回する。
【００２４】
このとき、旋回する空気に含まれる比較的大きい塵埃は、旋回による遠心力で集塵容器１１の内周面１１ｃに押し付けられる。塵埃は、内周面１１ｃから抵抗を受けて旋回の速度を失い、旋回空気から分離（遠心分離）されて落下し、集塵容器１１の底部の集塵部１０５に収容され捕集される。
【００２５】
一方、塵埃が遠心分離された後の空気は、矢印１１２ａで示す排気経路１１２に沿って集塵容器１１から流出し、流出口１１３を経由して、サイクロン集塵装置Ｙの外部に排出される。集塵容器１１から流出口１１３までの排気経路１１２上には、内筒１２、塵埃受部１４、上部フィルタユニット１３および蓋部１５が順に配置されている。
【００２６】
集塵容器１１から排出された空気流中の比較的小さい塵埃は、内筒フィルタ１２２によって分離される。内筒フィルタ１２２で濾過された後の空気は、内筒１２内を経由して、上部フィルタユニット１３に導かれて、ＨＥＰＡフィルタ１３１によって、さらに微小な塵埃が分離される。本実施の形態のサイクロン集塵装置Ｙでは、内筒フィルタ１２２およびＨＥＰＡフィルタ１３１の二段階で空気を濾過して、集塵容器１１から流出する空気からの塵埃を分離することにより、長時間の使用にも塵埃の捕集力の低下がしにくいようにしている。
【００２７】
また、掃除運転終了後は、ユーザがサイクロン集塵装置Ｙの外部から取っ手３１４を回転させることにより、連結部１３３を経由してフィルタ除塵部材１３２に回転が伝達され、フィルタ除塵部材１３２が回転して、ＨＥＰＡフィルタ１３１の塵埃が除去される。
【００２８】
また、傾斜除塵部材１３４も回転し、ワイパーがテーパ面１４ｂの表面を掃拭して、ＨＥＰＡフィルタ１３１から塵埃受部１４に落下した微細な塵埃を掃き出す。ワイパーにより掃き出された塵埃は、開口１４ａから内筒１２の内部を通って、集塵容器１１の内部に落下する。
【００２９】
図３に示すように、サイクロン集塵装置Ｙの筐体１０には、後述するクリーニングブラシを収納可能に形成されている収納部２０が形成されている。収納部２０は、サイクロン集塵装置Ｙの外表面の一部を形成する筐体１０の外周面１０ａの一部が、窪むように形成されている。
【００３０】
以下、フィルタを清掃する清掃部材、および清掃部材を収納する収納部２０について詳説する。図４は、清掃部材の一例としてのクリーニングブラシ５０の斜視図である。図５は、図４に示すクリーニングブラシ５０の背面図である。図６は、図４に示すクリーニングブラシ５０の平面図である。図７は、図４に示すクリーニングブラシ５０の正面図である。図４〜図７を参照して、クリーニングブラシ５０の構成について説明する。
【００３１】
クリーニングブラシ５０は、ユーザが把持可能に形成された柄部５１を有する。長尺の柄部５１の端部である基端部５２は、クリーニングブラシ５０の一端部を形成する。基端部５２に対し反対側の端部である他端部を形成する先端部５３には、刷毛部５４が取り付けられている。電気掃除機Ｘを使用するユーザは、内筒フィルタ１２２などの清掃対象物をクリーニングブラシ５０を使って清掃する際、柄部５１を把持して、刷毛部５４を用いて清掃対象物の表面を掃拭するブラッシングを行なう。このブラッシングにより、清掃対象物に付着した塵埃を落下させて、清掃対象物から塵埃を除去する。
【００３２】
クリーニングブラシ５０は、基端部５２から先端部５３に掛けて屈曲した形状に形成されている。クリーニングブラシ５０の柄部５１と先端部５３を連結する箇所は、上面５６および下面５７が凹んだ頚部６０が形成されており、この頚部６０において、クリーニングブラシ５０は屈曲している。図６に示す平面図において、柄部５１の延在方向（図中左右方向）に対し先端部５３は腹面５８側へ折れ曲がっている。クリーニングブラシ５０は、腹面５８が凹面形状となり、腹面５８と反対側の面を形成する背面５９が凸面形状となるような、屈曲形状に形成されている。
【００３３】
腹面５８には、突起部５５が形成されている。突起部５５は、上面５６と下面５７とを連結するように、腹面５８の一部が突起して形成されている。突起部５５は、滑らかな曲面形状の表面を有する柱形状に形成することができる。典型的には、半円筒形状などの円筒の一部形状に、突起部５５を形成することができる。
【００３４】
図８は、収納部２０が形成されている筐体１０の外表面の一部を拡大して示す模式図である。図９は、図８に示すＩＸ−ＩＸ線に沿う筐体１０の部分断面模式図である。図８に示す上側壁面２５および下側壁面２６は、筐体１０の外周面１０ａの一部が凹んだ形状に形成された収納部２０の、凹みの内側の壁面である内壁面を構成する。上側壁面２５および下側壁面２６は、収納部２０の相対向する２つの内壁面を形成している。
【００３５】
収納部２０には、上側壁面２５に対して収納部２０の内部側へ隆起した隆起部を形成する畝形状部２１，２２，２４が設けられている。また収納部２０には、下側壁面２６に対して収納部２０の内部側へ隆起した隆起部を形成する畝形状部２３が設けられている。収納部２０の内面を構成する上側壁面２５の一部は、対向する下側壁面２６に向けて筋状に盛り上がって、畝形状部２１，２２，２４を形成している。収納部２０の内面を構成する下側壁面２６の一部は、対向する上側壁面２５に向けて筋状に盛り上がって、畝形状部２３を形成している。
【００３６】
畝形状部２１，２２，２４において最も突出した先端は、下側壁面２６に対向する頂部２１ａ，２２ａ，２４ａをそれぞれ形成している。畝形状部２３において最も突出した先端は、上側壁面２５に対向する頂部２３ａを形成している。
【００３７】
図９に示すように、畝形状部２１，２２，２４は、収納部２０が外部に対して開口した開口部２８から、収納部２０の内部において最も奥まった面である底面２９まで、収納部２０の内部に延在するように形成されている。また、畝形状部２３も同様に、開口部２８から底面２９まで収納部２０の内部に延在するように形成されている（図８および図１１参照）。なお、底面２９は、開口部２８に対向する収納部２０の内面である。
【００３８】
図１０は、クリーニングブラシ５０が収納部２０内へ収納された状態を示す模式図である。図１１は、図１０に示すＸＩ−ＸＩ線に沿う収納部２０の部分断面模式図である。図１０および図１１に示すように、クリーニングブラシ５０を外部から開口部２８を経由させて収納部２０の内部へ押し込むことにより、クリーニングブラシ５０を収納部２０へ収納することが可能となっている。外部から収納部２０へクリーニングブラシ５０を押し込み圧入する簡単な動作によって、クリーニングブラシ５０は収納部２０の内部に保持でき、クリーニングブラシ５０を容易に収納部２０内に収納固定することができる。
【００３９】
つまり、開口部２８の外部に置かれたクリーニングブラシ５０の背面５９を外部側から押圧することにより、クリーニングブラシ５０を収納部２０内へ圧入収納できるように、クリーニングブラシ５０および収納部２０は形成されている。収納部２０は、その内部においてクリーニングブラシ５０を保持し、クリーニングブラシ５０を収納固定可能であるように、形成されている。
【００４０】
クリーニングブラシ５０は、収納部２０内において、その腹面５８が収納部２０の底面２９と対向し、背面５９が収納部２０の開口部２８側へ向くように配置される。クリーニングブラシ５０の腹面５８は、収納部２０へクリーニングブラシ５０が収納されたとき底面２９と対向する。腹面５８に形成された突起部５５は、クリーニングブラシ５０が収納部２０の内部に保持されているとき、底面２９に向かって突起している。
【００４１】
収納部２０の内部へ押し込まれたクリーニングブラシ５０は、畝形状部２１〜２４によって保持されている。つまり、図１０に示すように、収納部２０の下側壁面２６上に載置されたクリーニングブラシ５０に対し、畝形状部２１，２４の頂部２１ａ，２４ａ（図８参照）がクリーニングブラシ５０の上面５６と接触して、クリーニングブラシ５０を上下から挟持することにより、クリーニングブラシ５０を保持している。また、クリーニングブラシ５０に形成された頚部６０に対し、畝形状部２２，２３の頂部２２ａ，２３ａ（図８参照）が上下から当接することによって、クリーニングブラシ５０をより強固に収納部２０内に保持できるように、収納部２０は形成されている。
【００４２】
図１２は、クリーニングブラシ５０を収納部２０から取り出す状態を示す模式図である。先述したように、クリーニングブラシ５０の腹面５８には、腹面５８が収納部２０の底面２９に向かって一部突起した突起部５５が形成されている。収納部２０内に収納されているクリーニングブラシ５０に対し、図１２中の白抜き矢印に示すように、たとえばユーザが指でクリーニングブラシ５０を押すなどして、外部からクリーニングブラシ５０を押圧する押圧力を作用させる。この押圧力は、クリーニングブラシ５０の基端部５２を収納部２０の底面２９側へ押し込むように、クリーニングブラシ５０に加えられる。
【００４３】
基端部５２に押圧力が作用すると、突起部５５が収納部２０の底面２９に当接する。このとき、図１２中の曲線矢印に示すように、底面２９と当接した突起部５５を支点としてクリーニングブラシ５０が図中反時計回り方向に回転する。クリーニングブラシ５０は、基端部５２が外部から押圧されたとき、突起部５５を回転中心として回転運動を行なう。突起部５５の表面が滑らかな曲面で形成されていることにより、突起部５５は収納部２０の底面２９上を滑らかに摺動でき、クリーニングブラシ５０が円滑に回転運動できる構成とされている。
【００４４】
クリーニングブラシ５０の回転に従って、刷毛部５４が設けられた先端部５３側が、開口部２８を経由して収納部２０の外部へ突出する。開口部２８の外部へ突き出たクリーニングブラシ５０の先端部５３をユーザがつまみ取ることにより、簡単にクリーニングブラシ５０を収納部２０から取り出すことができる。このように、収納部２０内に収納されているクリーニングブラシ５０を外部から押圧することにより、クリーニングブラシ５０を収納部２０外へ突出させることができる。したがって、クリーニングブラシ５０を外部から押圧する簡単な動作によって容易に収納部２０から取り出すことができるので、クリーニングブラシ５０の使い勝手を向上させることができる。
【００４５】
クリーニングブラシ５０は、収納部２０の内部において、畝形状部２１，２２，２４が上面５６（および頚部６０の上面５６側）と当接することによって保持されている。つまり、クリーニングブラシ５０の表面全体が収納部２０の内壁面と密着しておらず、クリーニングブラシ５０の上面５６と収納部２０の上側壁面２５との間には隙間が設けられている。基端部５２が外部から押圧されてクリーニングブラシ５０が回転運動を行なうとき、クリーニングブラシは畝形状部２１〜２４の頂部２１ａ〜２４ａに対して摺動する。
【００４６】
そのため、収納部２０との間に発生する摩擦力が過大となってクリーニングブラシ５０の回転運動を妨げることを回避することができる。したがって、クリーニングブラシ５０をより滑らかに回転運動させることができ、基端部５２を指で押すなどして小さな押圧力を加えることでクリーニングブラシ５０を取り出すことが可能とされている。
【００４７】
また図１２に示すように、クリーニングブラシ５０が回転運動して先端部５３が収納部２０の外部に突出した状態において、柄部５１は、収納部の下側壁面２６および上側壁面２５に隆起して形成された畝形状部２１の頂部２１ａによって、挟持されている。クリーニングブラシ５０は、収納部２０の下側壁面２６および畝形状部２１によって支持された状態を保ちながら、先端部５３を収納部２０外へ突出させている。
【００４８】
つまり、クリーニングブラシ５０を収納部２０から取り出す時にも、クリーニングブラシ５０は収納部２０によって支持されており、収納部２０からのクリーニングブラシ５０が落下を防止できる構成とされている。したがって、収納部２０からの取り出し時にクリーニングブラシ５０が落下して、刷毛部５４に塵埃が付着するなどしてクリーニングブラシ５０の汚れが発生することを、抑制することができる。
【００４９】
以上のような構成を有するサイクロン集塵装置Ｙでは、掃除機本体部１からサイクロン集塵装置Ｙを取り外し、底蓋３１０を開けて集塵容器１１内の塵埃を廃棄した後に、筐体１０に形成された収納部２０からクリーニングブラシ５０を容易に取り出すことができる。ユーザは、クリーニングブラシ５０を使用して、集塵容器１１の内部を刷毛部５４で掃拭して集塵容器１１の内部に付着した塵埃を落下させ、集塵容器１１の内部から塵埃を除去することができる。また、集塵容器１１を筐体１０から取り外して内筒フィルタ１２２を露出させることにより、内筒フィルタ１２２の表面を刷毛部５４で掃拭して、内筒フィルタ１２２に絡まった塵埃を落下させ、内筒フィルタ１２２から塵埃を除去することができる。
【００５０】
集塵容器１１内の塵埃を廃棄するときには、サイクロン集塵装置Ｙは掃除機本体部１から取り外される。このとき、収納部２０が筐体１０に設けられているために、クリーニングブラシ５０はサイクロン集塵装置Ｙと共に一体として持ち運ばれる。したがって、集塵容器１１内の塵埃を廃棄する際にユーザが集塵容器１１内や内筒フィルタ１２２などを清掃しようとしたとき、クリーニングブラシ５０は手近にあり、クリーニングブラシ５０を使用した清掃を遅滞なく実施できるので、クリーニングブラシ５０の使い勝手が一層向上している。
【００５１】
なお、これまでの説明においては、空気を捕集容器の内周面に沿って旋回させて塵埃を捕集するサイクロン集塵装置Ｙを例として説明したが、本発明の集塵装置はサイクロン方式に限られるものではない。たとえば、紙パックの内部に塵埃を堆積させる紙パック式の電気掃除機において、紙パックを収容するケースに清掃部材を収納する収納部を形成し、このケースを電気掃除機本体から取り外したときに清掃部材を用いて容易にケースの清掃ができるようにしても構わない。
【００５２】
また清掃部材は、刷毛部５４を有するクリーニングブラシ５０に限られるものではない。たとえば、フィルタやダストカップなどの清掃対象物に接触して清掃対象物を振動させることにより除塵するビータや、清掃対象物の表面を掃拭して除塵するワイパーなどの掃拭部材を、清掃部材として備えてもよい。このような清掃部材が清掃対象物と接触するときに、清掃対象物に過大な衝撃を加えて清掃対象物を変形または破損させることを防止するために、清掃部材は弾性体または可撓性を有する部材により形成されるのが望ましい。
【００５３】
以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【図面の簡単な説明】
【００５４】
【図１】電気掃除機の外観図である。
【図２】サイクロン集塵装置の断面図である。
【図３】サイクロン集塵装置の斜視図である。
【図４】クリーニングブラシの斜視図である。
【図５】図４に示すクリーニングブラシの背面図である。
【図６】図４に示すクリーニングブラシの平面図である。
【図７】図４に示すクリーニングブラシの正面図である。
【図８】収納部が形成されている筐体の外表面の一部を拡大して示す模式図である。
【図９】図８に示すＩＸ−ＩＸ線に沿う筐体の部分断面模式図である。
【図１０】クリーニングブラシが収納部内へ収納された状態を示す模式図である。
【図１１】図１０に示すＸＩ−ＸＩ線に沿う収納部の部分断面模式図である。
【図１２】クリーニングブラシを収納部から取り出す手順を示す模式図である。
【符号の説明】
【００５５】
１  掃除機本体部、１０  筐体、１０ａ  外周面、１１ｃ  内周面、１１  集塵容器、１２  内筒、１３  上部フィルタユニット、１４  塵埃受部、２０  収納部、２１，２２，２３，２４  畝形状部、２１ａ，２２ａ，２３ａ，２４ａ  頂部、２５  上側壁面、２６  下側壁面、２８  開口部、２９  底面、５０  クリーニングブラシ、５１  柄部、５２  基端部、５３  先端部、５４  刷毛部、５５  突起部、５６  上面、５７  下面、５８  腹面、５９  背面、６０  頚部、１２２  内筒フィルタ、３１０  底蓋、Ｘ  電気掃除機、Ｙ  サイクロン集塵装置。
【図１】
2010115430.tif 000003
【図２】
2010115430.tif 000004
【図３】
2010115430.tif 000005
【図４】
2010115430.tif 000006
【図５】
2010115430.tif 000007
【図６】
2010115430.tif 000008
【図７】
2010115430.tif 000009
【図８】
2010115430.tif 000010
【図９】
2010115430.tif 000011
【図１０】
2010115430.tif 000012
【図１１】
2010115430.tif 000013
【図１２】
2010115430.tif 000014